(57)【特許請求の範囲】
【請求項１】
１枚のシート材を折曲線位置で折り曲げて組立て、
上面を構成する部分と、内面を構成する部分と、底面を構成する部分と、外面を構成する部分とを形成するとともに、
前記内面を構成する部分の両端には、前記外面を構成する部分とは反対の向きに折り曲げた倒れ防止用のフラップを突出して設け、
機器梱包用の箱内に、前記外面を構成する部分を箱の側壁内面に沿わせて入れ、箱内に梱包収納する機器を位置決めする、緩衝体。
【請求項２】
前記上面を構成する部分の一部を折曲線位置で折り曲げて形成した垂直面を構成する部分と、前記内面を構成する部分の一部を折曲線位置で折り曲げて形成した断面を構成する部分とで、箱内に梱包収納する機器の一部を嵌合載置する嵌合段部を設けてなる、請求項１に記載の緩衝体。
【請求項３】
請求項１、または２に記載の緩衝体を介して機器を箱内に梱包収納してなる、機器梱包品。
【請求項４】
前記フラップが、箱の側壁内面に沿い、下縁が箱の底面に当接して前記緩衝体の倒れを防止するように、前記緩衝体を箱内に入れてなる、請求項３に記載の機器梱包品。
【発明の詳細な説明】
【０００１】
【発明の属する技術】
この発明は、段ボール・硬質紙等のシート材を折り曲げて組立て形成する緩衝体に関する。および、その緩衝体を介して、複写機・ファクシミリ・プリンタ・自動原稿搬送装置（ＡＤＦ）などの機器を、段ボール箱等の箱内に梱包収納する機器梱包品に関する。
【０００２】
【従来の技術】
従来、複写機・ファクシミリなどの機器は、搬入時等の運搬時に、例えば図６に示すように梱包していた。図中符号１が、機器である。機器１は、緩衝体２・３を介して段ボール箱４内に収納する。
【０００３】
緩衝体２・３としては、従来発泡材を多く用いていたが、近年ではリサイクル性や運搬保管時の簡便性などを考慮して、段ボール・硬質紙等のシート材を折り曲げて組立て形成したものを使用するようになってきている。
【０００４】
【発明が解決しようとする課題】
ところが、この種の緩衝体２・３の中には、緩衝体２のように奥行きａが小さいものがあり、例えば図５に示すように、段ボール箱４内に緩衝体２・３を入れて後、機器１を挿入するとき、矢示するように緩衝体２が倒れることがあり、梱包作業性が悪い問題があった。
【０００５】
緩衝体２の倒れを防止すべく、緩衝体２を段ボール箱４に接着することも考えられるが、コストアップとなり、また緩衝体２が箱４から分離できなくなるから、運搬や保管などの際に不便となり、コストアップとなる問題があった。
【０００６】
そこで、この発明の第１の目的は、シート材を折り曲げて組立て形成する緩衝体において、コストアップを招くことなく、緩衝体の倒れを防止して梱包作業性を向上することにある。
【０００７】
この発明の第２の目的は、そのような緩衝体において、緩衝体を構成する部品点数を１つとして、取り扱いを簡単とし、コストダウンを図るとともに、展開を可能として、場所を取らずに運搬や保管などを簡単とすることにある。
【０００８】
この発明の第３の目的は、そのような緩衝体により機器梱包品が大型化することを防止することにある。
【０００９】
この発明の第４の目的は、上記目的を達成した緩衝体を用いた機器梱包品を提供することにある。
【００１０】
【課題を解決するための手段】
そのため、請求項１に記載の発明は、
１枚のシート材を折曲線位置で折り曲げて組立て、
上面を構成する部分と、内面を構成する部分と、底面を構成する部分と、外面を構成する部分とを形成するとともに、
前記内面を構成する部分の両端には、前記外面を構成する部分とは反対の向きに折り曲げた倒れ防止用のフラップを突出して設け、
機器梱包用の箱内に、前記外面を構成する部分を箱の側壁内面に沿わせて入れ、箱内に梱包収納する機器を位置決めする、緩衝体である。
【００１１】
請求項２に記載の発明は、請求項１に記載の緩衝体において、前記上面を構成する部分の一部を折曲線位置で折り曲げて形成した垂直面を構成する部分と、前記内面を構成する部分の一部を折曲線位置で折り曲げて形成した断面を構成する部分とで、箱内に梱包収納する機器の一部を嵌合載置する嵌合段部を設けてなる、ことを特徴とする。
【００１３】
請求項３に記載の発明は、機器梱包品において、請求項１、または２に記載の緩衝体を介して機器を箱内に梱包収納してなる、ことを特徴とする。
請求項４に記載の発明は、請求項３に記載の機器梱包品において、前記フラップが、箱の側壁内面に沿い、下縁が箱の底面に当接して前記緩衝体の倒れを防止するように、前記緩衝体を箱内に入れてなる、ことを特徴とする。
【００１４】
【発明の実施の形態】
以下、図面を参照しつつ、この発明の実施の形態につき説明する。
図１には、機器の一例として自動原稿搬送装置を梱包する状態を示す。
【００１５】
図中符号１０は、段ボール箱である。段ボール箱１０の中には、緩衝体２０・３０を入れて後、それらの緩衝体２０・３０で位置決めして自動原稿搬送装置４０を収納する。
【００１６】
自動原稿搬送装置４０は、例えば複写機やファクシミリ上に設置して、読取原稿を自動的に読取位置へと順次送り込む装置である。
【００１７】
図２には、図１の部分拡大図を示す。
【００１８】
緩衝体２０は、後述するごとく、シート材を折り曲げて組立て形成する。図示するように、緩衝体２０には、自動原稿搬送装置４０の一部を嵌合載置する嵌合段部Ｓを設け、また両端には各々倒れ防止用のフラップＦを内方に向けて突出して設ける。
【００１９】
図３には、緩衝体２０を構成するシート材の展開図を示す。シート材としては、例えば段ボール、硬質紙などを用いる。
【００２０】
図中符号２１はシート材の、緩衝体２０の上面を構成する部分、２２は内面を構成する部分、２３は内底面を構成する部分、２４は内側外面を構成する部分であり、上面を構成する部分２１から順次折曲線Ｌ１・Ｌ２・Ｌ３位置でそれぞれ折り曲げ可能とする。
【００２１】
内面を構成する部分２２の両端には、各々折曲線Ｌ４位置で折り曲げ可能に、上述したフラップＦを設ける。また、内側外面を構成する部分２４は、２つ備え、両端に各々折曲線Ｌ５位置で折り曲げ可能に補強フラップ２５を設ける。補強フラップ２５には、それぞれ嵌合溝２５ａと嵌合突部２５ｂを形成する。
【００２２】
また、２６はシート材の、外側外面を構成する部分、２７は外底面を構成する部分、２８は舌片であり、上面を構成する部分２１から反対側に順次折曲線Ｌ６、Ｌ７、Ｌ８位置でそれぞれ折り曲げ可能とする。
【００２３】
上面を構成する部分２１には、嵌合段部Ｓの垂直面を構成する部分２１ａを折曲線Ｌ９、Ｌ１０位置で折り曲げ可能に設ける。また、中央には、自動原稿搬送装置４０の逃げ孔２１ｂを設ける。
【００２４】
内面を構成する部分２２には、嵌合段部Ｓの段面を構成する部分２２ａを折曲線Ｌ１０、Ｌ１１位置で折り曲げ可能に設ける。この部分２２ａには、４つの係合スリット２２ｂを設ける。また、上面を構成する部分２１との間に、係合突起２２ｃを設ける。
【００２５】
内面を構成する部分２２と内底面を構成する部分２３間の折曲線Ｌ２上には、嵌合スリット２３ａを設ける。
【００２６】
そして、上面を構成する部分２１から順次折曲線Ｌ１・Ｌ２・Ｌ３位置で、シート材の、内面を構成する部分２２、内底面を構成する部分２３、内側外面を構成する部分２４を折り曲げる。同時に、２つの倒れ防止用のフラップＦを各々外向きに折り曲げ、また４つの補強フラップ２５をそれぞれ内向きに折り曲げる。
【００２７】
続いて、上面を構成する部分２１から反対側に順次折曲線Ｌ６、Ｌ７、Ｌ８位置で、シート材の、外側外面を構成する部分２６、外底面を構成する部分２７、舌片２８をそれぞれ折り曲げる。そして、嵌合スリット２３ａに舌片２８を入れて、内側外面を構成する部分２４の外側に外側外面を構成する部分２６を、内底面を構成する部分２３の外側に外底面を構成する部分２７を重ね合わせる。
【００２８】
また、このとき垂直面を構成する部分２１ａと段面を構成する部分２２ａをそれぞれ折曲線Ｌ９、Ｌ１０、Ｌ１１位置で折り曲げて嵌合段部Ｓを形成し、
補強フラップ２５の嵌合溝２５ａに内面を構成する部分２２の係合突起２２ｃを入れ、補強フラップ２５の嵌合突部２５ｂを４つの係合スリット２２ｂに係合し、図４（Ａ）ないし（Ｃ）に示すように組立てる。
【００２９】
以上のようにして組立てた緩衝体２０を、別の緩衝体３０とともに、図１に示すように段ボール箱１０内に入れ、それらの緩衝体２０・３０で位置決めして自動原稿搬送装置４０を段ボール箱１０内に収納する。このとき、この例では、緩衝体２０に上述した逃げ孔２１ｂを設け、自動原稿搬送装置４０の突出する部分が逃げ孔２１ｂ内に入り込んで緩衝体２０に突き当たらないようにする。
【００３０】
以上説明したとおり、図示例では、シート材を折り曲げて組立て形成する緩衝体２０において、シート材に倒れ防止用のフラップＦを外向きに突出して設けるから、図２中鎖線で示すように段ボール箱１０内でそのフラップＦで支えて緩衝体２０が内向きに倒れることを防止し、緩衝体２０の載置安定性を増し、自動原稿搬送装置４０を梱包するときの梱包作業性を向上することができる。
【００３１】
なお、フラップＦは、緩衝体２０の倒れを防止することができれば、その形状を適宜変更することができる。
【００３２】
また、緩衝体２０は、フラップＦを含めてシート材を１枚のものを折り曲げて組立て形成するから、緩衝体２０を構成する部品点数を１つとして、取り扱いを簡単とし、コストダウンを図るとともに、展開して重ねることにより、場所を取らずに運搬や保管などを簡単とすることができる。
【００３３】
さらに、図示例では、図２に示すようにフラップＦを緩衝体２０の両端に設けてフラップＦを段ボール箱１０の内面に沿わせ、自動原稿搬送装置４０の組み込みの邪魔にならないようにするから、緩衝体２０により段ボール箱１０が大型化することを防止することができる。
【００３４】
【発明の効果】
したがって、この発明によれば、シート材を折り曲げて組立て形成する緩衝体において、シート材に倒れ防止用のフラップを突出して設けるから、コストアップを招くことなく、緩衝体の倒れを防止して機器を梱包するときの梱包作業性を向上することができる。
【００３５】
また、フラップを含めてシート材を１枚のものを折り曲げて組立て形成するから、緩衝体を構成する部品点数を１つとして、取り扱いを簡単とし、コストダウンを図るとともに、展開して重ねることにより、場所を取らずに運搬や保管などを簡単とすることができる。
【００３６】
加えて、フラップを両端に設けるから、緩衝体により機器梱包品が大型化することを防止することができる。
【００３７】
請求項３、４に記載の発明によれば、請求項１、または２に記載の緩衝体を介して機器を箱内に梱包収納するから、コストアップを招くことなく、緩衝体の倒れを防止して機器を梱包するときの梱包作業性を向上することができる。
【図面の簡単な説明】
【図１】機器の一例である自動原稿搬送装置の梱包状態を示す斜視図である。
【図２】その部分拡大図である。
【図３】その自動原稿搬送装置の梱包で用いる緩衝体で、それを構成するシート材の展開図である。
【図４】（Ａ）はその緩衝体の平面図、（Ｂ）は正面図、（Ｃ）は右側面図である。
【図５】従来における機器の梱包状態説明図である。
【図６】その梱包状態を示す斜視図である。
【符号の説明】
１０    段ボール箱
２０    緩衝体
３０    緩衝体
４０    自動原稿搬送装置（機器）
Ｆ      倒れ防止用のフラップ
【図１】
0004666804.tif 000002
【図２】
0004666804.tif 000003
【図３】
0004666804.tif 000004
【図４】
0004666804.tif 000005
【図５】
0004666804.tif 000006
【図６】
0004666804.tif 000007